Podtech/llm-jp-corpus-v4-ja_patent huggingface dataset:
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
ウェアラブルユーザデバイスであって：
当該デバイスを装着しているユーザからの１つ以上の健康パラメータを感知するように構成される少なくとも１つのセンサと；
近くのリーダデバイスと無線で通信するように構成される通信インタフェースと；
メモリと；
前記通信インタフェース、前記少なくとも１つのセンサ及び前記メモリと通信するプロセッサであって、前記少なくとも１つのセンサから取得される前記ユーザの健康パラメータを受け取るように構成されるプロセッサと；
を備え、前記プロセッサは、
前記ユーザに関連する第三者に警告するためにモニタされるべき医療事象の識別情報を受け取り、
前記受け取った健康パラメータに基づいて前記モニタされる医療事象の発生を医療アラートとして識別し、
前記医療アラートを前記メモリ内に格納し、
前記通信インタフェースを介して前記医療アラートと前記医療アラートの可用性の指示とのうちの少なくとも一方を繰り返し送信する、
ように構成される、ユーザデバイス。
【請求項２】
前記プロセッサは、前記医療アラートを送信することなく前記医療アラートの前記可用性の指示を繰り返し送信し、次いで、前記近くのリーダデバイスからの要求に応答して前記医療アラートを送信するように構成される、
請求項１に記載のユーザデバイス。
【請求項３】
前記医療アラートを送信する際に、前記プロセッサは、前記医療アラートとともに前記健康パラメータのうちの少なくとも１つを追加的に送信するように更に構成される、
請求項１又は２に記載のユーザデバイス。
【請求項４】
前記プロセッサは、前記医療アラートに基づいて、前記健康パラメータのうちの前記少なくとも１つを送信用に選択するように更に構成される、
請求項３に記載のユーザデバイス。
【請求項５】
前記ユーザに関連する第三者に警告するために、モニタされるべき前記医療事象を受け取る際に、前記プロセッサは、予め定義された可能性のある医療アラートのリストからの前記医療アラートのユーザ選択を受け取るように構成される、
請求項１乃至４のいずか一項に記載のユーザデバイス。
【請求項６】
前記医療事象の発生を識別する際に、前記プロセッサは、
モニタされるべき前記医療事象に関連付けられるトリガを識別し、
前記トリガを前記受け取った健康パラメータと比較することに基づいて、前記トリガが適用可能であると判断し、
前記トリガが適用可能であると判断したことに基づいて、前記医療事象の前記発生を識別する、
ように構成される、請求項１乃至５のいずか一項に記載のユーザデバイス。
【請求項７】
医療アラート情報を提供するためにウェアラブルユーザデバイスによって実行される方法であって：
前記デバイスを装着しているユーザから１つ以上の健康パラメータを感知するステップと；
前記ユーザの前記感知された健康パラメータを受け取るステップと；  前記ユーザに関連する第三者に警告するためにモニタされるべき医療事象の識別情報を受け取るステップと；
前記受け取った健康パラメータに基づいて前記モニタされる医療事象の発生を医療アラートとして識別するステップと；
前記医療アラートをメモリ内に格納するステップと；
前記医療アラートと前記医療アラートの可用性の指示とのうちの少なくとも一方を繰り返し送信するステップと；
を含む方法。
【請求項８】
前記医療アラートを送信することなく前記医療アラートの前記可用性の指示を繰り返し送信し、次いで、近くのリーダデバイスからの要求に応答して前記医療アラートを送信するステップを含む、
請求項７に記載の方法。
【請求項９】
前記医療アラートとともに前記健康パラメータのうちの少なくとも１つを追加的に送信するステップを含む、
請求項７又は８に記載の方法。
【請求項１０】
前記医療アラートに基づいて、前記健康パラメータのうちの前記少なくとも１つを送信用に選択するステップを含む、
請求項９に記載の方法。
【請求項１１】
前記ユーザに関連する第三者に警告するために、モニタされるべき前記医療事象を受け取る際に、当該方法は、予め定義された可能性のある医療アラートのリストからの前記医療アラートのユーザ選択を受け取るステップを含む、
請求項７乃至１０のいずれか一項に記載の方法。
【請求項１２】
前記医療事象の前記発生を識別する際に、当該方法は、
モニタされるべき前記医療事象に関連付けられるトリガを識別するステップと、
前記トリガを前記受け取った健康パラメータと比較することに基づいて、前記トリガが適用可能であると判断するステップと、
前記トリガが適用可能であると判断したことに基づいて、前記医療事象の前記発生を識別するステップと、
を含む、請求項７乃至１１のいずれか一項に記載の方法。
【請求項１３】
医療アラート情報を提供するためにユーザデバイスによる実行のための命令が符号化される非一時的なマシン読取可能な記憶媒体であって、当該非一時的なマシン読取可能な記憶媒体は、請求項７乃至１２のいずれか一項に記載の方法を実行するための命令を備える、非一時的なマシン読取可能な記憶媒体。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
ドライアイ症候群を患う患者を治療するための、α2アドレナリン作動薬又はその薬学的に許容可能な塩を含む眼科用医薬製剤。
【請求項２】
前記α2アドレナリン作動薬がブリモニジン又はその薬学的に許容可能な塩を含む、請求項1に記載の眼科用医薬製剤。
【請求項３】
前記ドライアイ症候群がマイボーム腺機能不全（MGD）を含む、請求項1に記載の眼科用医薬製剤。
【請求項４】
前記ドライアイ症候群が涙液減少型ドライアイ（ADDE）である、請求項1に記載の眼科用医薬製剤。
【請求項５】
前記ADDEがシェーグレンドライアイ症候群、眼移植片対宿主病（oGVHD）又は非シェーグレンドライアイ症候群である、請求項４に記載の眼科用医薬製剤。
【請求項６】
前記ドライアイ症候群が蒸発亢進型ドライアイ（EDE）である、請求項1に記載の眼科用医薬製剤。
【請求項７】
前記ドライアイ症候群がADDEとEDEとからなる混合機構ドライアイである、請求項1に記載の眼科用医薬製剤。
【請求項８】
前記ドライアイ症候群がレーシック屈折矯正手術の合併症であるか、又はビタミンA欠乏症、眼表面障害、アレルギー、加齢、コンタクトレンズ使用及び薬剤使用、並びに眼瞼開口障害からなる群から選択される1つ以上の原因に起因する、請求項1に記載の眼科用医薬製剤。
【請求項９】
前記眼科用医薬製剤が眼用水中油型エマルション、点眼薬、眼ヒドロゲル、洗眼薬、眼ローション、眼インサート、眼スプレー及び眼軟膏からなる群から選択される、請求項1に記載の眼科用医薬製剤。
【請求項１０】
前記眼科用医薬製剤がヒマシ油、オリーブ油、ダイズ油、トウモロコシ油、鉱油、綿実油、サフラワー油及びゴマ油からなる群から選択される1つ以上の油を含む眼用水中油型エマルションである、請求項９に記載の眼科用医薬製剤。
【請求項１１】
前記眼用水中油型エマルションが、平均粒径が0.2 μm以下かつ0.02 μm超の粒子を含むα2アドレナリン作動薬を含む、請求項１０に記載の眼科用医薬製剤。
【請求項１２】
前記眼科用医薬製剤が眼ヒドロゲルであり、該ヒドロゲルがカルボマーホモポリマータイプB、カルボマーホモポリマータイプC、ポリカルボフィル、ヒアルロン酸、カルボキシメチルセルロース、ヒドロキシエチルセルロース、ヒドロキシプロピルセルロース、ヒドロキシプロピルメチルセルロース及びポリビニルピロリドンからなる群から選択される少なくとも1つを含む、請求項1に記載の眼科用医薬製剤。
【請求項１３】
前記眼科用医薬製剤が滅菌された防腐剤無添加製剤であり、局所使用のための使い捨て単回投与容器に入れられる、請求項1に記載の眼科用医薬製剤。
【請求項１４】
前記α2アドレナリン作動薬が、前記製剤の総重量に対する重量（w/w）で約0.5%〜約0.
0001%という量で存在するブリモニジン又はその薬学的に許容可能な塩であるか、又はそ
れを含む、請求項１３に記載の眼科用医薬製剤。
【請求項１５】
α2アドレナリン作動薬と鉱油又はワセリンとを含む眼用局所組成物。
【請求項１６】
前記α2アドレナリン作動薬がブリモニジン又はその薬学的に許容可能な塩である、請求項１５に記載の眼用局所組成物。
【請求項１７】
ブリモニジン又はその薬学的に許容可能な塩とメチルプレドニゾンとを含む、請求項１５に記載の眼用局所組成物。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
下記式Ｉで表される化合物。
ＣＨ２＝ＣＲ１−ＣＨＲ２−Ｓ−Ｒ３−Ｓ−ＣＨＲ４−ＣＲ５＝ＣＨ２  ［Ｉ］
［式中、Ｒ１、Ｒ２、Ｒ４、及びＲ５は、独立して、−Ｈ、−ＣＨ３、又は−Ｃ２Ｈ５から選択され、
Ｒ３は、２〜１２個の炭素原子、０〜５個のエーテル酸素原子、及び０〜５個のチオエーテル硫黄原子を含む、直鎖、分岐鎖、又は環式であってよい二価の基から選択され、且つ、下記式ＩＩ：
−（（ＣＨ２）ｎ−Ｘ）ｍ−（ＣＨ２）ｎ−［ＩＩ］
（式中、ｍは０〜５であり、各ｎは、独立して、２〜６から選択され、各Ｘは、独立して、Ｏ又はＳから選択される。）
で表される。］
【請求項２】
請求項１に記載の化合物１種以上と、１種以上のポリチオールと、のコポリマーである、ポリチオエーテルポリマー。
【請求項３】
請求項１に記載の化合物１種以上と、１種以上のポリチオール及び１種以上のポリエポキシドと、のコポリマーである、ポリチオエーテルポリマー。
【請求項４】
前記ポリチオールが下記式ＶＩで表されるジチオールである、請求項２又は３に記載のポリチオエーテルポリマー。
ＨＳ−Ｒ６−ＳＨ［ＶＩ］
［式中、Ｒ６は、２〜１２個の炭素原子、０〜５個のエーテル酸素原子、及び０〜５個のチオエーテル硫黄原子を含む、直鎖、分岐鎖、又は環式であってよい二価の基から選択される。］
【請求項５】
Ｒ６が下記式ＩＩで表される二価の基である、請求項４に記載のポリチオエーテルポリマー。
−（（ＣＨ２）ｎ−Ｘ）ｍ−（ＣＨ２）ｎ−［ＩＩ］
［式中、ｍは０〜５であり、各ｎは、独立して、２〜６から選択され、各Ｘは、独立して、Ｏ又はＳから選択される。］
【請求項６】
下記式ＸＩで表される二価の基をポリマー主鎖中に含む、ポリチオエーテルポリマー。
−Ｓ−Ｒ１１−Ｓ−ＣＨ２−ＣＨＲ１２−ＣＨＲ１３−Ｓ−［ＸＩ］
［式中、Ｒ１１は、２〜１２個の炭素原子、０〜５個のエーテル酸素原子、及び０〜５個のチオエーテル硫黄原子を含む、直鎖、分岐鎖、又は環式であってよい二価の基から選択され、Ｒ１２及びＲ１３は、独立して、−Ｈ、−ＣＨ３、又は−Ｃ２Ｈ５から選択され、Ｒ１２及びＲ１３のうち少なくとも１つは−Ｈではない。］
【請求項７】
下記式ＸＩＩで表される二価の基をポリマー主鎖中に含む、請求項６に記載のポリチオエーテルポリマー。
−Ｃ（ＯＨ）（Ｒ１４）−ＣＨ２−Ｓ−Ｒ１１−Ｓ−ＣＨ２−ＣＨＲ１２−ＣＨＲ１３−Ｓ−［ＸＩＩ］
［式中、Ｒ１４は、−Ｈ又はＣ１〜４アルキルから選択され、Ｒ１１、Ｒ１２及びＲ１３は、上記で定義された通りである。］
【請求項８】
下記式ＸＩＩＩで表される二価の基をポリマー主鎖中に含む、請求項６又は７に記載のポリチオエーテルポリマー。
−Ｓ−Ｒ１１−Ｓ−ＣＨ２−ＣＨＲ１２−ＣＨＲ１３−Ｓ−Ｒ１５−Ｓ−［ＸＩＩＩ］
［式中、Ｒ１５は、２〜１２個の炭素原子、０〜５個のエーテル酸素原子、及び０〜５個のチオエーテル硫黄原子を含む、直鎖、分岐鎖、又は環式であってよい二価の基から選択され、Ｒ１１、Ｒ１２及びＲ１３は、上記で定義された通りである。］
【請求項９】
Ｒ１１が下記式ＩＩで表される二価の基である、請求項６〜８のいずれか一項に記載のポリチオエーテルポリマー。
−（（ＣＨ２）ｎ−Ｘ）ｍ−（ＣＨ２）ｎ−［ＩＩ］
［式中、ｍは０〜５であり、各ｎは、独立して、２〜６から選択され、各Ｘは、独立して、Ｏ又はＳから選択される。］
【請求項１０】
下記式ＸＸＩで表される二価の基をポリマー主鎖中に含む、ポリチオエーテルポリマー。
−Ｓ−Ｒ２１−Ｓ−ＣＨ（ＣＨ３）−ＣＨ２−Ｓ−［ＸＸＩ］
［式中、Ｒ２１は、２〜１２個の炭素原子、０〜５個のエーテル酸素原子、及び０〜５個のチオエーテル硫黄原子を含む、直鎖、分岐鎖、又は環式であってよい二価の基から選択される。］
【請求項１１】
下記式ＸＸＩＩＩで表される二価の基をポリマー主鎖中に含む、請求項１０に記載のポリチオエーテルポリマー。
−Ｓ−Ｒ２１−Ｓ−ＣＨ（ＣＨ３）−ＣＨ２−Ｓ−Ｒ２３−Ｓ−［ＸＸＩＩＩ］
［式中、Ｒ２３はＲ２１と同じ基である。］
【請求項１２】
ａ）請求項２〜１１のいずれか一項に記載のポリチオエーテルポリマー、及び
ｂ）硬化剤
を含む、シーラント。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
式（１）
【化１】
2018506541.tif 000001
（式中、Ｒ１は、水素またはＣ１〜Ｃ６−アルキルである）
の化合物またはその塩。
【請求項２】
式（２）
【化３】
2018506541.tif 000002
の化合物またはその塩。
【請求項３】
式（７）
【化５】
2018506541.tif 000003
の化合物。
【請求項４】
式（１）
【化６】
2018506541.tif 000004
（式中、Ｒ１は、水素またはＣ１〜Ｃ６−アルキルである）
の化合物またはその塩
を製造するための方法であって、
式（２）
【化８】
2018506541.tif 000005
の化合物またはその塩を酸化することを含み、
場合により、得られた式（１）の化合物またはその塩（式中、Ｒ１は水素である）を、Ｃ１〜Ｃ６−脂肪族アルコールと同時にまたは別々にエステル化して、式（１）の化合物（式中、Ｒ１はＣ１〜Ｃ６−アルキルである）を得るステップを含む、方法。
【請求項５】
式（２）
【化１０】
2018506541.tif 000006
の化合物を製造するための方法であって、
（i）式（３）
【化１２】
2018506541.tif 000007
の化合物を、メタクロレインまたはその反応性誘導体と、マイケル反応のための有機触媒の存在下で反応させること、または
（ii）式（７）
【化１５】
2018506541.tif 000008
の化合物を、プロピオンアルデヒドまたはその反応性誘導体と、マイケル反応のための有機触媒の存在下で反応させること
を含む、方法。
【請求項６】
前記有機触媒が、キラルプロリノールまたはキラルチオ尿素の有機触媒である、請求項５に記載の方法。
【請求項７】
式（７）
【化２６】
2018506541.tif 000009
の化合物を製造するための方法であって、
式（３）
【化２７】
2018506541.tif 000010
の化合物を、ホルムアルデヒドまたはその反応性誘導体と反応させることを含む、方法。
【請求項８】
前記式（７）の化合物が、請求項７に記載の方法に従って製造される、請求項５または６に記載の方法。
【請求項９】
式（３）
【化２８】
2018506541.tif 000011
の化合物が、
（ａ）式（６）
【化２９−１】
2018506541.tif 000012
のアルデヒド化合物またはその反応性誘導体をニトロメタンと反応させて式（５）、式（４）、または両方の化合物
【化２９−２】
2018506541.tif 000013
を得ること、
（ｂ）得られた式（５）の化合物を、脱水剤、好ましくは酸無水物と反応させて式（４）
【化３１】
2018506541.tif 000014
の化合物を得ること、及び
（ｃ）式（４）の化合物、および／または式（５）の化合物を、好ましくは二重結合を選択的に還元することができるヒドリド錯体の存在下で、水素化すること
を含む方法によって得られる、請求項５から８のいずれか一項に記載の方法。
【請求項１０】
請求項４に記載の式（１）の化合物を製造するための方法であって、式（２）の出発化合物が、請求項５、６、８及び９のいずれか一項に記載の方法によって得られる、方法。
【請求項１１】
式（８）
【化３４】
2018506541.tif 000015
（式中、Ｒ’およびＲ”は互いに独立に、水素または窒素保護基であり、Ｒ１は、水素またはＣ１〜Ｃ６−アルキルである）
の化合物を製造するための方法であって、式（１）
【化３６】
2018506541.tif 000016
（式中、Ｒ１は、水素またはＣ１〜Ｃ６−アルキルである）
の化合物またはその塩を水素化することを含み、場合によって窒素保護基の導入を含むまたは続いて行う、方法。
【請求項１２】
前記式（１）、好ましくは式（１−ａ）の化合物が、請求項４または１０に記載の方法によって得られる、請求項１１に記載の方法。
【請求項１３】
得られた式（８）の化合物を、コハク酸またはその誘導体との反応によってさらに反応させて、式（１０）
【化３８】
2018506541.tif 000017
（式中、Ｒ１は、水素またはＣ１〜Ｃ６−アルキルである）
の化合物にする、請求項１１または１２に記載の方法。
【請求項１４】
次式：
【化４０−１】
2018506541.tif 000018
【化４０−２】
2018506541.tif 000019
【化４０−３】
2018506541.tif 000020
を有するものからなる群から選択される、有機触媒。
【請求項１５】
式（１０）
【化４１】
2018506541.tif 000021
（式中、Ｒ１は、水素またはＣ１〜Ｃ６−アルキルである）
の化合物の製造における、請求項１から３までのいずれか一項の化合物の使用。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
少なくとも１種の有機ペルオキシド、
少なくとも１種のニトロキシド含有化合物、および
少なくとも１種のキノン含有化合物、
を含む、有機ペルオキシド配合物。
【請求項２】
前記少なくとも１種のニトロキシド含有化合物が、４−ＯＨＴを含む、請求項１に記載の有機ペルオキシド配合物。
【請求項３】
前記少なくとも１種のニトロキシド含有化合物が、以下の、４−ヒドロキシ  ＴＥＭＰＯ（４−ＯＨＴ）およびＴＥＭＰＯ（２，２，６，６−テトラメチルピペリジン  １−オキシル）の少なくとも１種または複数である、請求項１又は２に記載の有機ペルオキシド配合物。
【請求項４】
前記少なくとも１種のキノン含有化合物が、ＭＴＢＨＱを含む、請求項１〜３のいずれかに記載の有機ペルオキシド配合物。
【請求項５】
前記少なくともキノン含有化合物が、ＨＱＭＭＥを含む、請求項１〜４のいずれかに記載の有機ペルオキシド配合物。
【請求項６】
前記少なくとも１種のキノン含有化合物が、以下の、モノ−ｔｅｒｔ−ブチルヒドロキノン（ＭＴＢＨＱ）；ヒドロキノン；ヒドロキノン  モノ−メチル  エーテル（ＨＱＭＭＥ）；モノ−ｔ−アミルヒドロキノン、およびジ−ｔ−アミル  ヒドロキノンの少なくとも１種または複数である、請求項１〜５のいずれかに記載の有機ペルオキシド配合物。
【請求項７】
少なくとも２個の官能基を有する残基をさらに含む、少なくとも１種の架橋助剤をさらに含み、前記官能基が、アリル系、メタクリル系、アクリル系からなる群より選択され、同一であっても異なっていてもよい、請求項１〜６のいずれかに記載の有機ペルオキシド配合物。
【請求項８】
前記少なくとも１種のペルオキシドが、ジアルキル、ペルオキシケタール、ペルオキシエステル、モノペルオキシカーボネート、またはヒドロペルオキシドタイプのペルオキシドの１種または複数を含む、請求項１〜７のいずれかに記載の有機ペルオキシド配合物。
【請求項９】
請求項１〜８のいずれかに記載の有機ペルオキシド配合物を製造するための方法であって、
前記少なくとも１種の有機ペルオキシド、前記少なくとも１種のニトロキシド含有化合物、および前記少なくとも１種のキノン含有化合物を混合することを含む、前記方法。
【請求項１０】
少なくとも１種のエラストマー、および
請求項１〜８のいずれかに記載の有機ペルオキシド配合物、
を含むエラストマー組成物。
【請求項１１】
エラストマー組成物を硬化させるための方法であって、
酸素の存在下にエラストマー組成物を硬化させる工程を含み、
前記エラストマー組成物が、請求項１０に記載のエラストマー組成物を含む、前記方法。
【請求項１２】
請求項１１に記載の方法により製造される、エラストマー性物品。
【請求項１３】
少なくとも１種の有機ペルオキシド、
少なくとも１種のニトロキシド含有化合物、および
少なくとも１種のキノン含有化合物、
少なくとも１種の架橋助剤、
を含む、有機ペルオキシド配合物。
【請求項１４】
前記少なくとも１種の架橋助剤が、２個の官能基を有する残基を含み、前記官能基が、アリル系、メタクリル系、アクリル系からなる群より選択され、同一であっても異なっていてもよい、請求項１３に記載の有機ペルオキシド配合物。
【請求項１５】
前記少なくとも１種のペルオキシドが、ジアルキル、ペルオキシケタール、ペルオキシエステル、モノペルオキシカーボネート、またはヒドロペルオキシドタイプのペルオキシドからなる群より選択される、複数または複数のペルオキシドである、請求項１３又は１４に記載の有機ペルオキシド配合物。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
単純ヘルペスウイルス（ＨＳＶ）感染の治療のための、局所免疫増感剤又はリコール抗原を含む組成物であって、前記組成物は以下の投与形態（ａ）又は（ｂ）で投与され、
投与形態（ａ）：前記組成物は局所免疫増感剤を含み、単純ヘルペスウイルスに感染したヒトの皮膚に前記ヒトが単純ヘルペスウイルスを発症していない時に適用されるか、若しくは、単純ヘルペスウイルスに感染したヒトの皮膚に単純ヘルペスウイルスの発症の間に単純ヘルペスウイルス病変部以外の部位において適用されるが、単純ヘルペスウイルスに感染したヒトの単純ヘルペスウイルス病変上の皮膚に前記ヒトが単純ヘルペスウイルスを発症している時には適用されず、又は、
投与形態（ｂ）：前記組成物はリコール抗原を含み、単純ヘルペスウイルスに感染したヒトに前記ヒトが単純ヘルペスウイルスを発症していない時に皮内注射されるか、若しくは、リコール抗原を単純ヘルペスウイルスに感染したヒトに単純ヘルペスウイルスの発症の間に単純ヘルペスウイルス病変部以外の部位において皮内注射されるが、単純ヘルペスウイルスに感染したヒトに前記ヒトが単純ヘルペスウイルスを発症している時に単純ヘルペスウイルス病変部において皮内注射されず、
これにより、前記適用又は注射後の前記ヒトにおける単純ヘルペスウイルスの発症の頻度、継続期間、又は重症度が低減される、
組成物。
【請求項２】
前記適用又は注射後の前記ヒトにおける新たな単純ヘルペスウイルスの発症の頻度が低減される、請求項１に記載の組成物。
【請求項３】
前記単純ヘルペスウイルスがＨＳＶ−１又はＨＳＶ−２である、請求項１又は請求項２に記載の組成物。
【請求項４】
前記ヒトが口唇ヘルペス又は性器ヘルペスを患っている、請求項１〜３のいずれか一項に記載の組成物。
【請求項５】
投与形態（ａ）において、前記組成物が、単純ヘルペスウイルスに感染したヒトの皮膚に性器若しくは唇以外の部位において適用、若しくは前記ヒトが性器若しくは唇に単純ヘルペスウイルスを発症していない時に性器若しくは唇に適用されるか、又は、
投与形態（ｂ）において、前記組成物が、単純ヘルペスウイルスに感染したヒトに性器若しくは唇以外の部位において皮内注射、若しくは前記ヒトが性器若しくは唇に単純ヘルペスウイルスを発症していない時に性器若しくは唇に皮内注射される、
請求項１〜３のいずれか一項に記載の組成物。
【請求項６】
投与形態（ａ）において、前記組成物が、前記ヒトの上腕の内側面上の皮膚に適用されるか、又は
投与形態（ｂ）において、前記組成物が、前記ヒトの上腕の内側面上の皮膚に皮内注射される、
請求項１〜５のいずれか一項に記載の組成物。
【請求項７】
前記ヒトが単純ヘルペスウイルスに感染している  請求項６に記載の組成物。
【請求項８】
前記局所免疫増感剤が、スクアリン酸、スクアリン酸エステル、ジフェニルシクロプロぺノン（ＤＰＣＰ）、１−クロロ−２，４−ジニトロベンゼン（ＤＮＣＢ）、１−クロロ−２，６−ジニトロベンゼン、又はウルシオールを含む、請求項１〜７のいずれか一項に記載の組成物。
【請求項９】
前記局所免疫増感剤がスクアリン酸ジブチルエステル（ＳＡＤＢＥ）又はスクアリン酸ジエステルを含む、請求項８に記載の組成物。
【請求項１０】
前記局所免疫増感剤がスクアリン酸ジブチルエステルのＤＭＳＯ溶液である、請求項９に記載の組成物。
【請求項１１】
投与形態（ａ）で投与される、請求項１〜１０のうちいずれか一項に記載の組成物。
【請求項１２】
前記組成物が、投与形態（ａ）で再度投与される、請求項１１に記載の組成物。
【請求項１３】
再度の投与において、前記組成物が、
（ｉ）先の投与において前記組成物が適用された７日後〜３０日後に適用されるか、又は
（ｉｉ）先の投与において前記組成物が適用された７日後〜３６５日後であって、且つ前記ヒトに単純ヘルペスウイルスが発症している時に適用される、
請求項１２に記載の組成物。
【請求項１４】
投与形態（ｂ）で投与される、請求項１〜１０のいずれか一項に記載の組成物。
【請求項１５】
前記組成物が、投与形態（ｂ）で再度投与される、請求項１４に記載の組成物。
【請求項１６】
再度の投与において、前記組成物が、
（ｉ）先の投与において前記組成物が皮内注射された７日後〜３０日後に皮内注射されるか、又は
（ｉｉ）先の投与において前記組成物が皮内注射された７日後〜３６５日後であって、且つ前記ヒトに単純ヘルペスウイルスが発症している時に皮内注射される、
請求項１５に記載の組成物。
【請求項１７】
前記リコール抗原が、ムンプス抗原、カンジダ抗原、又は白癬菌抗原を含む、請求項１４〜１６のいずれか一項に記載の組成物。
【手続補正書】
【提出日】平成30年11月29日(2018.11.29)
【手続補正１】
【補正対象書類名】明細書
【補正対象項目名】００１０
【補正方法】変更
【補正の内容】
【００１０】
本発明は、ガス状炭化水素分子の結合を開裂することなく反応状態にメタンのようなガス状炭化水素を活性化するために、非熱プラズマを発生させるため、比較的弱い電界を用いる。活性化ガス状炭化水素は、液体燃料においてより長い鎖状炭化水素と反応することが可能であり、それにより天然ガスの構成成分を液体燃料に取り込む。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１１／０１９０５６５号明細書
（特許文献２）  米国特許出願公開第２０１２／０２９７６６５号明細書
（特許文献３）  米国特許出願公開第２００５／０１６７２６０号明細書
（特許文献４）  国際公開第２００５／１１５６１０号
（非特許文献）
（非特許文献１）ＳＥＭＥＮＯＶＡ，  Ｏ．  Ａ．  ｅｔ  ａｌ．，  'Ｅｌｅｃｔｒｉｃａｌ  ｐａｒａｍｅｔｅｒｓ  ａｎｄ  ｃｏｎｃｅｎｔｒａｔｉｏｎｓ  ｏｆ  ｃｈａｒｇｅｄ  ｐａｒｔｉｃｌｅｓ  ｉｎ  ｍｅｔｈａｎｅ  ｐｌａｓｍａ'，  Ｒｕｓｓｉａｎ  ｍｉｃｒｏｅｌｅｃｔｒｏｎｉｃｓ，  ２０１３，Ｖｏｌ．  ４２，  Ｎｏ．  ５，  ｐｐ．  ３０１−３０８．
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
次の：
【化１−１】
2018506558.tif 000001
【化１−２】
2018506558.tif 000002
【化１−３】
2018506558.tif 000003
【化１−４】
2018506558.tif 000004
【化１−５】
2018506558.tif 000005
【化１−６】
2018506558.tif 000006
【化１−７】
2018506558.tif 000007
からなる群から選択される構造を有する化合物、またはその医薬的に許容な塩。
【請求項２】
次の：
【化２】
2018506558.tif 000008
からなる群から選択される構造を有する請求項1に記載の化合物、またはその医薬的に許容な塩。
【請求項３】
前記化合物が、次の構造：
【化３】
2018506558.tif 000009
を有する請求項2に記載の化合物、またはその医薬的に許容な塩。
【請求項４】
請求項1に記載の化合物および医薬的に許容な担体を含む医薬組成物。
【請求項５】
前記化合物が、次の構造：
【化４】
2018506558.tif 000010
を有する請求項4に記載の医薬組成物。
【請求項６】
ドライ加齢黄斑変性（AMD）およびウエットAMDを含む網膜損傷および／または退化、リュウマチ性関節炎および反応性関節炎を含む種々の形態の関節炎、真性糖尿病、慢性閉塞性肺疾患、炎症性腸疾患、過敏性腸症候群、デュシェンヌ型筋ジストロフィー、移植片対宿主病、慢性疼痛、増殖性硝子体網膜症、緑内障、多発性硬化症、双極性障害、大鬱病性障害、腎線維症、腎炎、肺線維症、ハンチントン病、骨粗鬆症、慢性リンパ球性白血病、不安障害、肺結核、更年期後の女性および骨折患者における骨粗鬆症、全身性エリテマトーデス、円板状エリトマトーデス、慢性炎症性および神経因性疼痛、常染色体優性多発性嚢胞腎、脊髄損傷、アルツハイマー病、神経因性疼痛、高血圧症、静脈瘤、I型糖尿病、II型糖尿病、痛風、自己免疫性肝炎、移植血管損傷、アテローム性動脈硬化症、血栓症、メタボリック症候群、唾液腺炎、外傷性脳損傷、虚血性心疾患、虚血性脳卒中、パーキンソン病、黒色腫、神経芽細胞腫、前立腺癌、乳癌、皮膚癌、甲状腺癌、管状早期胃癌、神経内分泌癌、類粘液大腸癌、大腸癌；高悪性度尿路上皮癌、腎臓明細胞癌、未分化卵巣癌、乳頭嚢胞内乳癌、グラム陰性菌敗血症、感染性の緑膿菌、コレラ菌、レジオネラ spp.、フランシセラ spp.およびリーシュマニアspp. クラミジア spp.、クリオピリン関連周期熱症候群；角膜炎、尋常性座瘡、クローン病、潰瘍性大腸炎、インスリン耐性、肥満、溶血性尿毒症症候群、ポリオーマウイルス感染症、免疫複合体型腎疾患、急性尿細管損傷、ループス腎炎、家族性慣例自己炎症症候群、マックル-ウェルズ症候群および新生児期発症多臓器系炎症性疾患、慢性乳児神経皮膚関節自己炎症性疾患、腎虚血-再灌流傷害、糸球体腎炎、クリオグロブリン血症、全身性血管炎、IgA腎症、マラリア、蠕虫感染症、敗血性ショック、アレルギー性喘息、枯草熱、薬剤誘発性肺炎症、接触性皮膚炎、ハンセン病、バークホルデリア セノセパシア感染症、呼吸器合胞体ウイルス感染症、乾癬、強皮症、嚢胞性線維症、梅毒、シェーグレン症候群、炎症性関節疾患、非アルコール性脂肪肝疾患、心臓手術（術中／術後の炎症）、急性および慢性臓器移植拒絶反応、急性および慢性骨髄移植拒絶反応、腫瘍の血管新生、筋萎縮性側索硬化症、および自閉症スペクトラム障害に関連する症状の治療するときに使用のための、請求項1に記載の化合物または請求項4に記載の組成物。
【請求項７】
網膜損傷を治療するときに使用のための、請求項1もしく6に記載の化合物または請求項4もしくは6に記載の組成物。
【請求項８】
細胞に関連するAlu RNAによるインフラマソーム活性化を阻害するときに使用のための、請求項1もしく6に記載の化合物または請求項4もしくは6に記載の組成物。
【請求項９】
前記インフラマソームが、NLRP3インフラマソーム、IL-1ベータ インフラマソームおよびそれらの組合せから選択される、請求項8に記載の使用のための化合物または組成物。
【請求項１０】
ATP-誘導の細胞透過性を減少するときに使用のための、請求項1もしく6に記載の化合物または請求項4もしくは6に記載の組成物。
【請求項１１】
細胞におけるミトコンドリア反応性酸素種の量を減少するときに使用のための、請求項1もしく6に記載の化合物または請求項4もしくは6に記載の組成物。
【請求項１２】
前記細胞が、網膜色素上皮細胞、網膜視細胞、脈絡膜細胞およびそれらの組合せからなる群から選択される、請求項6〜11のいずれか1つに記載の使用のための化合物または組成物。
【請求項１３】
前記症状がドライAMDまたはウエットAMDである、請求項12に記載の化合物または組成物。
【請求項１４】
前記化合物が、次の構造：
【化５】
2018506558.tif 000011
を有する請求項13に記載の化合物または組成物。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
ｉ．粒子の９０％が１０００ｎｍ未満であるような粒度分布を有する、水溶性水感受性有効成分またはその薬学的に許容される塩のナノ粒子と、
ｉｉ．１種以上の湿潤剤と、
ｉｉｉ．少なくとも１種のゲル化剤と、
ｉｖ．非水性液体ビヒクルと、
を含むナノ粒子局所組成物であって、
ここで、該組成物は水を含まず、
前記水溶性水感受性有効成分は、ミノサイクリンまたはその薬学的に許容される塩であり、
前記１種以上の湿潤剤は、シクロメチコン−ジメチコンコポリオールポリマーであり、
前記非水性液体ビヒクルは、シクロメチコンまたはシクロメチコンと鉱油の混合物を含み、
さらに、前記局所組成物が、ゲルである、組成物。
【請求項２】
前記ナノ粒子が、粒子の９０％（Ｄ９０）が１０００ｎｍ未満であり、前記粒子の５０％（Ｄ５０）が８００ｎｍ未満であるような粒度分布を有する、請求項１に記載の組成物。
【請求項３】
前記ナノ粒子が、粒子の９０％（Ｄ９０）が７００ｎｍ未満であり、前記粒子の５０％（Ｄ５０）が５００ｎｍ未満であり、前記粒子の１０％（Ｄ１０）が３００ｎｍ未満であるような粒度分布を有する、請求項１に記載の組成物。
【請求項４】
前記水溶性水感受性有効成分がミノサイクリン塩酸塩であり、約０．０１％ｗ／ｗ〜約１５％ｗ／ｗに及ぶ濃度で組成物中に存在する、請求項１に記載の組成物。
【請求項５】
前記湿潤剤が前記組成物の約０．５重量％〜２０．０重量％に及ぶ濃度で存在する、請求項１に記載の組成物。
【請求項６】
浸透促進剤をさらに含む、請求項１に記載の組成物。
【請求項７】
前記浸透促進剤がミリスチン酸イソプロピルまたはオレイン酸から選択される、請求項６に記載の組成物。
【請求項８】
ざ瘡、酒さ、膿痂疹、または細菌によって引き起こされる皮膚疾患の治療用の、局所施用による、請求項１に記載のナノ粒子局所組成物。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
ヒトの膵炎の症状を改善するための薬物の製造における、細胞内カルシウムシグナル伝達阻害剤の使用であって、
前記症状は慢性膵炎の症状である、使用。
【請求項２】
前記細胞内カルシウムシグナル伝達阻害剤はＳＯＣチャネル阻害剤である、請求項１に記載の使用。
【請求項３】
前記細胞内カルシウムシグナル伝達阻害剤はＣＲＡＣチャネル阻害剤である、請求項１に記載の使用。
【請求項４】
前記細胞内カルシウムシグナル伝達阻害剤はＳＴＩＭ１タンパク質を含むチャネルを阻害する、請求項１に記載の使用。
【請求項５】
前記細胞内カルシウムシグナル伝達阻害剤はＯｒａｉ１タンパク質を含むチャネルを阻害する、請求項１に記載の使用。
【請求項６】
前記細胞内カルシウムシグナル伝達阻害剤は、Ｏｒａｉ２タンパク質を含むチャネルを阻害する、請求項１に記載の使用。
【請求項７】
前記細胞内カルシウムシグナル伝達阻害剤は、
Ｎ−（５−（６−エトキシ−４−メチルピリジン−３−イル）ピラジン−２−イル）−２，６−ジフルオロベンズアミド、Ｎ−（５−（２−エチル−６−メチルベンゾ［ｄ］オキサゾール−５−イル）ピリジン−２−イル）−３，５−ジフルオロイソニコチンアミド、Ｎ−（４−（１−エチル−３−（チアゾール−２−イル）−１Ｈ−ピラゾール−５−イル）フェニル）−２−フルオロベンズアミド、Ｎ−（５−（１−エチル−３−（トリフルオロメチル）−１Ｈ−ピラゾール−５−イル）ピラジン−２−イル）−２，４，６−トリフルオロベンズアミド、４−クロロ−１−メチル−Ｎ−（４−（１−メチル−３−（トリフルオロメチル）−１Ｈ−ピラゾール−５−イル）フェニル）−１Ｈ−ピラゾール−５−カルボキサミド、Ｎ−（４−（３−（ジフルオロメチル）−５−メチル−１Ｈ−ピラゾール−１−イル）−３−フルオロフェニル）−２，６−ジフルオロベンズアミド、Ｎ−（４−（３−（ジフルオロメチル）−５−メチル−１Ｈ−ピラゾール−１−イル）−３−フルオロフェニル）−２，４，６−トリフルオロベンズアミド、Ｎ−（４−（３−（ジフルオロメチル）−１−メチル−１Ｈ−ピラゾール−５−イル）−３−フルオロフェニル）−２，４，６−トリフルオロベンズアミド、４−クロロ−Ｎ−（３−フルオロ−４−（１−メチル−３−（トリフルオロメチル）−１Ｈ−ピラゾール−５−イル）フェニル）−１−メチル−１Ｈ−ピラゾール−５−カルボキサミド、３−フルオロ−４−（１−メチル−３−（トリフルオロメチル）−１Ｈ−ピラゾール−５−イル）−Ｎ−（（３−メチルイソチアゾール−４−イル）メチル）アニリン、Ｎ−（５−（７−クロロ−２，３−ジヒドロ−［１，４］ジオキシノ［２，３−ｂ］ピリジン−６−イル）ピリジン−２−イル）−２，６−ジフルオロベンズアミド、Ｎ−（２，６−ジフルオロベンジル）−５−（１−エチル−３−（チアゾール−２−イル）−１Ｈ−ピラゾール−５−イル）ピリミジン−２−アミン、３，５−ジフルオロ−Ｎ−（３−フルオロ−４−（３−メチル−１−（チアゾール−２−イル）−１Ｈ−ピラゾール−４−イル）フェニル）イソニコチンアミド、５−（１−メチル−３−（トリフルオロメチル）−１Ｈ−ピラゾール−５−イル）−Ｎ−（２，４，６−トリフルオロベンジル）ピリジン−２−アミン、Ｎ−（５−（１−エチル−３−（トリフルオロメチル）−１Ｈ−ピラゾール−５−イル）ピリジン−２−イル）−２，４，６−トリフルオロベンズアミド、Ｎ−（５−（５−クロロ−２−メチルベンゾ［ｄ］オキサゾール−６−イル）ピラジン−２−イル）−２，６−ジフルオロベンズアミド、Ｎ−（５−（６−エトキシ−４−メチルピリジン−３−イル）チアゾール−２−イル）−２，３，６−トリフルオロベンズアミド、Ｎ−（５−（１−エチル−３−（トリフルオロメチル）−１Ｈ−ピラゾール−５−イル）ピリジン−２−イル）−２，３，６−トリフルオロベンズアミド、２，３，６−トリフルオロ−Ｎ−（３−フルオロ−４−（１−メチル−３−（トリフルオロメチル）−１Ｈ−ピラゾール−５−イル）フェニル）ベンズアミド、２，６−ジフルオロ−Ｎ−（４−（５−メチル−２−（トリフルオロメチル）オキサゾール−４−イル）フェニル）ベンズアミド、または、Ｎ−（５−（６−クロロ−２，２−ジフルオロベンゾ［ｄ］［１，３］ジオキソール−５−イル）ピラジン−２−イル）−２−フルオロ−６−メチルベンズアミドの構造を有する化合物、または、その薬学的に許容可能な塩、薬学的に許容可能な溶媒和物、あるいは薬学的に許容可能なプロドラッグである、請求項１に記載の使用。
【請求項８】
前記症状は急性膵炎の症状である、請求項１−７のいずれか１つに記載の使用。
【請求項９】
前記症状は、膵臓の炎症と浮腫、背中への放散上腹部痛、背中への放散左上腹部痛、悪心、嘔吐、摂食により悪化する嘔吐、高い心拍数、頻脈、高い呼吸数、高血圧、血圧低下、脱水、腹部圧痛、発熱、悪寒、腹膜炎、血行動態不安定、および反射性の腸麻痺の少なくとも１つを含む、請求項１−７のいずれか１つに記載の使用。
【請求項１０】
前記症状は重症急性膵炎の症状である、請求項１−７のいずれか１つに記載の使用。
【請求項１１】
前記症状は、膵壊死と膵臓外の臓器の損傷の少なくとも１つを含む、請求項１−７のいずれか１つに記載の使用。
【請求項１２】
前記症状は、持続性腹痛、消化異常、脂肪の吸収不良、食物摂取中の疼痛、体重減少、血清アミラーゼ活性の上昇、血清リパーゼ活性の上昇、ＣＲＰの炎症マーカーの上昇、重炭酸塩産生の低下、糞便のエラスターゼレベルの上昇、血清トリプシノゲンレベルの上昇、膵臓の石灰化、血清ビリルビンレベルの上昇、およびアルカリホスファターゼレベルの上昇の少なくとも１つを含む、請求項１−７のいずれか１つに記載の使用。
【請求項１３】
前記症状は、ＥＳＲレベルの上昇、ＩｇＧ４レベルの上昇、リウマチ因子の増大、ＡＮＡ抗体の存在、および、抗平滑筋抗体の存在の少なくとも１つを含む、請求項１−７のいずれか１つに記載の使用。
【請求項１４】
前記症状は、脂肪便、１００ｇの脂肪食での２４時間にわたる７グラム以上の糞便または糞便脂肪排泄物のズダン化学染色、および、２００μｇ／ｇ未満の値の糞便サンプル中の糞便のエラスターゼの少なくとも１つを含む、請求項１−７のいずれか１つに記載の使用。
【請求項１５】
前記症状は、腹痛、血中アミラーゼレベルの増加、血液リパーゼレベルの増加、膵臓の拡大、悪心、嘔吐、内出血、腸麻痺、発熱、黄疸、体重減少、および心拍数の上昇の少なくとも１つを含む、請求項１−１１のいずれか１つに記載の使用。
【請求項１６】
前記症状は、アミラーゼの血中濃度の上昇を含む、請求項１−１１のいずれか１つに記載の使用。
【請求項１７】
前記症状は、リパーゼの血中濃度の上昇を含む、請求項１−１１のいずれか１つに記載の使用。
【請求項１８】
前記症状は、コンピューター断層撮影（ＣＴ）スキャンによる壊死の発見物を含む、請求項１−１１のいずれか１つに記載の使用。
【請求項１９】
前記症状は早熟な消化酵素活性化を含む、請求項１−１１のいずれか１つに記載の使用。
【請求項２０】
前記早熟な消化酵素活性化は前記ヒトの膵臓で生じる、請求項１９に記載の使用。
【請求項２１】
酵素はトリプシンを含む、請求項１９に記載の使用。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
夾雑物ＩＣＦ２Ｉ及びＩ（ＣＦ２）２Ｉのうちの少なくとも１つを含有するＩ（ＣＦ２）ｎＩ（式中、ｎは３〜７である）の同族体混合物を含む反応生成物を形成する方法であって、
（ａ）反応器内にて１５０℃〜２１０℃の温度でヨウ素をヘキサフルオロプロピレンオキシドと反応させる工程であって、前記ヘキサフルオロプロピレンオキシドの量が前記ヨウ素と反応するヘキサフルオロプロピレンオキシドの全量の一部であり、それによって、反応副生成物として気体状のペルフルオロアセチルフッ化物を含有する反応生成物を形成する工程と、
（ｂ）前記反応生成物を冷却して、前記気体状のペルフルオロアセチルフッ化物を除いて液体にする工程と、
（ｃ）前記ペルフルオロアセチルフッ化物を前記反応器から排気する工程と、
（ｄ）前記ＨＦＰＯの前記全量が前記ヨウ素と反応するまで、工程（ａ）、（ｂ）、及び（ｃ）を繰り返す工程と、を含み、
その結果として、前記同族体混合物を含む前記反応生成物を得る方法。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
医薬製剤であって：
（ｉ）約０．５％Ｗ／Ｖ〜約２．０％Ｗ／Ｖの量のポリドカノール；及び
（ｉｉ）約０．５％Ｗ／Ｖ〜約１０％Ｗ／Ｖの量のＣ３−Ｃ６アルコール
を含む、医薬製剤。
【請求項２】
前記ポリドカノールは、約０．５％Ｗ／Ｖ〜約１．２５％Ｗ／Ｖの量である、ことを特徴とする請求項１に記載の医薬製剤。
【請求項３】
前記Ｃ３−Ｃ６アルコールはプロピレングリコールである、ことを特徴とする請求項１に記載の医薬製剤。
【請求項４】
前記医薬製剤は皮下注射製剤である、ことを特徴とする請求項１に記載の医薬製剤。
【請求項５】
前記医薬製剤は水性製剤である、ことを特徴とする請求項１に記載の医薬製剤。
【請求項６】
前記Ｃ３−Ｃ６アルコールは、約２．０％Ｗ／Ｖ〜約５．０％Ｗ／Ｖの量で存在する、ことを特徴とする請求項１に記載の医薬製剤。
【請求項７】
約４００ミリオスモル／ｋｇ未満のオスモル濃度を有する、請求項１に記載の医薬製剤。
【請求項８】
約７〜約８のｐＨを有する、請求項１に記載の医薬製剤。
【請求項９】
約１．０〜約２．０ｃｃの容積を有する、請求項１に記載の医薬製剤。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
安定な混合物を形成する工程であって、前記混合物が、式中のｎが少なくとも３であるＩ（ＣＦ２）ｎＩと、前記混合物中の汚染物質として式中のｎが１又は２であるＩ（ＣＦ２）ｎＩのうちの少なくとも１つと、を含む、工程と、
前記混合物を少なくとも２２０℃の温度に加熱して、前記汚染物質の量を、前記汚染物質がＩＣＦ２Ｉである場合は１％以下に低減させ、前記汚染物質がＩＣＦ２ＣＦ２Ｉである場合は０．１％以下に低減させる工程と、を含むプロセス。
【手続補正書】
【提出日】平成31年2月14日(2019.2.14)
【手続補正１】
【補正対象書類名】特許請求の範囲
【補正対象項目名】請求項１
【補正方法】変更
【補正の内容】
【請求項１】
ＧＨ、ＧＨＲ、ＳＴＡＴ５、ＩＧＦ−１および／またはＳＯＣＳの、ならびにヒトＧＨ、ＧＨＲ、ＳＴＡＴ５、ＳＯＣＳ、ＩＧＦ−１、およびインスリンにより調節されるタンパク質の活性または発現を阻害することにより、疾患または病態を治療するための医薬組成物において、前記医薬組成物が：  式Ｉ：
2018506534.tif 000001
（式中、
Ｒ１は、水素、ＮＯ２、ＳＯ３Ｈ、ＮＨ２、Ｃ１〜８アルキル、またはハロゲンであり、
Ｒ２は、水素、ＮＯ２、ＳＯ３Ｈ、ＮＨ２、Ｃ１〜８アルキル、またはハロゲンである）
を有する化合物またはその薬学的に許容可能な塩；および医薬担体を含むことを特徴とする医薬組成物。
【手続補正２】
【補正対象書類名】特許請求の範囲
【補正対象項目名】請求項７
【補正方法】変更
【補正の内容】
【請求項７】
ＧＨ、ＧＨＲ、ＳＴＡＴ５、ＳＯＣＳ、ＩＧＦ−１およびインスリンの、ならびにヒトＧＨ、ＧＨＲ、ＳＴＡＴ５、ＳＯＣＳ、ＩＧＦ−１、およびインスリンにより調節されるタンパク質の活性または発現を阻害することにより、疾患または病態を治療するための医薬組成物において、前記医薬組成物が：  式ＩＩＩ：
2018506534.tif 000002
（式中、
Ｒ１は、水素、ＮＯ２、ＳＯ３Ｈ、ＮＨ２、Ｃ１〜８アルキル、またはハロゲンであり、
Ｒ２は、水素、ＮＯ２、ＳＯ３Ｈ、ＮＨ２、Ｃ１〜８アルキル、またはハロゲンである）
を有する化合物またはその薬学的に許容可能な塩；および医薬担体を含むことを特徴とする医薬組成物。
【手続補正３】
【補正対象書類名】特許請求の範囲
【補正対象項目名】請求項１０
【補正方法】変更
【補正の内容】
【請求項１０】
ＧＨ、ＧＨＲ、ＳＴＡＴ５、ＳＯＣＳ、ＩＧＦ−１およびインスリンの、ならびにヒトＧＨ、ＧＨＲ、ＳＴＡＴ５、ＳＯＣＳ、ＩＧＦ−１、およびインスリンにより調節されるタンパク質の活性または発現を阻害することにより、疾患または病態を治療するための医薬組成物において、前記医薬組成物が：  式ＩＶ：
2018506534.tif 000003
（式中、
Ｒ１は、水素、ＮＯ２、ＳＯ３Ｈ、ＮＨ２、Ｃ１〜８アルキル、またはハロゲンであり、
Ｒ２は、水素、ＮＯ２、ＳＯ３Ｈ、ＮＨ２、Ｃ１〜８アルキル、またはハロゲンである）
を有する化合物またはその薬学的に許容可能な塩；および医薬担体を含むことを特徴とする医薬組成物。
【手続補正４】
【補正対象書類名】特許請求の範囲
【補正対象項目名】請求項１３
【補正方法】変更
【補正の内容】
【請求項１３】
ヒトＧＨ、ＧＨＲ、ＳＴＡＴ５、およびＳＯＣＳに関する遺伝子／タンパク質の発現または活性の変更から利益を受け得る疾患または病態を有する対象においてヒトＧＨ、ＧＨＲ、ＳＴＡＴ５、およびＳＯＣＳに関するシグナリング遺伝子の変更により、疾患または病態を治療するための医薬の製造における化合物の使用であって、前記化合物が、
2018506534.tif 000004
2018506534.tif 000005
（式中、
Ｒ１は、水素、ＮＯ２、ＳＯ３Ｈ、ＮＨ２、Ｃ１〜８アルキル、またはハロゲンであり、
Ｒ２は、水素、ＮＯ２、ＳＯ３Ｈ、ＮＨ２、Ｃ１〜８アルキル、またはハロゲンである）
およびそれらの組合せおよびそれらの薬学的に許容可能な塩
からなる群から選択されることを特徴とする使用。